(57)【要約】本発明は、支持フレーム（１０１）と複数のフィルタポケット（１０２）とを備えたガスフィルタ組立体（１００）に関する。支持フレーム（１００）は、少なくとも１つの係止要素（１０５、１０６）によって互いに結合された、第１のサブフレーム（２０３）と第２のサブフレーム（２０４）とを備え、互いに結合されることで前記第１のサブフレーム（２０３）と前記第２のサブフレーム（２０４）とは、支持フレームの内壁（１１０）と、前面（１０９）と、外壁（１１１）とを構成する。各フィルタポケットは、縁部（１１４、１１５）を有して対向する側部により規定された空気入口開口部（１１３）を一方の端部に有する。２つの隣接するフィルタポケット（２０２）の縁部（１１４、１１５）の間に架け渡されて縁部（１１４、１１５）のほぼ全長に沿って延出する少なくとも１つの結合手段（１１６）によって、フィルタポケット（１０２）は互いに密封して固定される。少なくとも１つの結合手段（２１６）は、２つの対向する端部（２１９）を有し、各端部（２１９）は、前記第１のサブフレームと前記第２のサブフレームとの間に配置される。
2013525100.tif 000002
【特許請求の範囲】
【請求項１】
支持フレーム（１０１）と、複数のフィルタポケット（１０２）とを備えるガスフィルタ組立体（１００）であって、
前記支持フレーム（１００）が、
少なくとも１つの係止要素（１０５、１０６）によって互いに結合された、第１のサブフレーム（２０３）と第２のサブフレーム（２０４）とを備え、
互いに結合されることで前記第１のサブフレーム（２０３）と前記第２のサブフレーム（２０４）とが、前記支持フレームの内壁（１１０）と、前面（１０９）と、外壁（１１１）とを構成し、
各フィルタポケットが、縁部を有して対向する側部（１１４、１１５）により規定された空気入口開口部（１１３）を一方の端部に有し、
２つの隣接するフィルタポケット（２０２）の縁部（２１４、２１５）の間に架け渡されて前記縁部（２１４、２１５）のほぼ全長に沿って延出する少なくとも１つの結合手段（２１６）によって、前記フィルタポケット（１０２）は互いに密封して固定され、
前記少なくとも１つの結合手段（２１６）は、２つの対向する端部（２１９）を有し、
各端部（２１９）は、前記第１のサブフレーム（２０３）と前記第２のサブフレーム（２０４）との間に配置されることを特徴とするガスフィルタ組立体（１００）。
【請求項２】
前記結合手段（２１６）の各端部（２１９）は、前記第１のサブフレーム（２０３）の前記内壁（２１０）に形成された切り込み部分（２２４）を通過し、前記第２のサブフレーム（２０４）に配置されたスロット（２２３）に配置されることを特徴とする請求項１記載のガスフィルタ組立体（１００）。
【請求項３】
前記支持フレーム（１０１）は正方形又は長方形であることを特徴とする請求項１及び２記載のガスフィルタ組立体（１００）。
【請求項４】
前記第１のサブフレーム（２０３）と前記第２のサブフレーム（２０４）とは、それぞれ一体の部材として構成されることを特徴とする請求項１から３のいずれか１項に記載のガスフィルタ組立体（１００）。
【請求項５】
前記第２のサブフレーム（２０４）の前記スロット（２２３）はＶ字形であることを特徴とする請求項４記載のガスフィルタ組立体（１００）。
【請求項６】
前記結合手段（３１６）は細長い挟持片（３１６）であることを特徴とする請求項１から４のいずれか１項に記載のガスフィルタ組立体（１００）。
【請求項７】
空気の流れに対向する前記結合手段（３１６）の上面は丸形であることを特徴とする請求項１から６のいずれか１項に記載のガスフィルタ組立体（１００）。
【請求項８】
前記結合手段（３１６）は、スポット溶接又は接着（３１７）によって前記フィルタポケットに結合されることを特徴とする請求項１から７のいずれか１項に記載のガスフィルタ組立体（１００）。
【請求項９】
前記結合手段（２１６）により密封して固定された前記フィルタポケット（２０２）は周囲上縁部（５２６）を有し、
前記周囲上縁部（５２６）は、フック手段（２２５）によって前記第２のサブフレーム（２０４）に固定されることを特徴とする請求項１から８のいずれか１項に記載のガスフィルタ組立体（１００）。
【請求項１０】
前記周囲上縁部（５２６）は、前記第２のサブフレーム（５０４）に配置された溝（５２９）の中に前記周囲上縁部（５２６）を押し込む前記第１のサブフレーム（２０３）の仕切り（５２７）によって前記支持フレーム（１０１）に固定されることを特徴とする請求項９記載のガスフィルタ組立体（１００）。
【請求項１１】
前記支持フレーム（１０１）の前記内壁（１１０）のうち２つの内壁は、切り込み部分（２２４）と、スロット（２２３）とを備えることを特徴とする請求項１から１０のいずれか１項に記載のガスフィルタ組立体（１００）。
【請求項１２】
前記支持フレーム（１０１）の前記内壁（１１０）のうち４つの内壁は、切り込み部分（２２４）とスロット（２２３）とを備えることを特徴とする請求項１から１０のいずれか１項に記載のガスフィルタ組立体（１００）。
【請求項１３】
前記支持フレーム（１０１）の横方向に延出する内壁（１１０）に配置されたスロット（２２３）及び切り込み部分（２２４）の数は、長手方向に延出する内壁（１１０）に配置されたスロット（２２３）及び切り込み部分（２２４）の数とは異なることを特徴とする請求項２から１０のいずれか１項に記載のガスフィルタ組立体（１００）。
【発明の詳細な説明】
【技術分野】
【０００１】
本発明は、正方形又は長方形の構造を有し、ガス又は空気の流れから汚染物質を除去するフィルタユニットで使用するためのカセット形のガスフィルタ組立体に関する。ガスフィルタ組立体は、支持フレームと、塵芥の侵入を防止するように支持フレームに密封装着された１つ以上のフィルタポケットとを備える。
【背景技術】
【０００２】
いくつかの種類のガスフィルタカセットユニットが知られている。例えば、国際公開第ＷＯ９６２９１３８号によれば、支持フレームは、可撓性材料、好ましくはプラスチック材料から製造されたプロファイル部分を備え、脚部材は、ヒンジによりフレームのウェブ部分と互いに結合される。脚部材は、係止手段を備え、互いに挟持係合するように回動することにより、挟持された脚部材の間にフィルタバッグを固定する。フィルタバッグを折りたたまれた状態で支持する互いに対向して配置されたフレーム側部の間に、支持梁が延出する。また、国際公開第ＷＯ９９／３６１５５号は、フレームプロファイル材を有するガスフィルタカセットに関し、フレームプロファイル材は、閉じられた場合、フィルタ材料を間に挟持するように互いに関節を介して結合される。支持フレームは、２つの対向する支持フレーム部分を互いに結合する複数の棒状手段を備え、この結合によって、強い気流の中でもフィルタバッグのつぶれは防止される。２つの隣接するフィルタポケットの間の継目は、棒状手段の全長に沿って延び、後ろ向きのスパイクを備えた細長い片により棒状手段に挟持される。
【０００３】
米国特許第６，４５１，０７９号公報には、異なる種類のガスフィルタカセットユニットが開示される。このユニットの場合、組立体は、プラスチック材料から成る外側フレームと、いくつかの個別のフィルタ要素とを備え、各フィルタ要素は、外側フレームの内側に配置された内側フレームを備える。外側フレームは、互いに対向する翼プロファイル材と、基部プロファイル材と、閉鎖プロファイル材とから構成され、各プロファイル材は、ほぼＵ字形の横断面形状を有する。フィルタ要素は、外側フレームのＵ字形翼プロファイル材に押し込まれ、互いに塵芥の侵入を防止するように結合される。
【０００４】
国際公開第ＷＯ２００６／１２６９３７号は、複数のフィルタポケット開口部を有するフレーム構造を備えたポケットフィルタ組立体を開示する。各フィルタポケットは、対応するフィルタポケット開口部に密封して固定されるポケット口を有する。フレーム構造は、外側サブフレームと、対応する内側サブフレームとを備え、フィルタポケット開口部を規定するそれらのサブフレームの開口部分に沿って分散配置された係止位置で、２つのサブフレームは、係止要素によって互いに結合され、係止される。
【発明の概要】
【０００５】
本発明の主な目的は、安価であり、製造、組立て、装着が容易であるガスフィルタ組立体を提供することである。しかも、支持フレームが安定していることと、フィルタポケットがフレームに堅固に結合されることが重要である。更なる目的は、必要に応じて後に破壊又は再利用できるように容易に分解可能な種々の種類の材料を備えたガスフィルタ組立体を提供することである。
【０００６】
本発明は、支持フレームと、複数のフィルタポケットとを備えるガスフィルタ組立体であって、前記支持フレームが、少なくとも１つの係止要素によって互いに結合された、第１のサブフレームと第２のサブフレームとを備え、互いに結合されることで前記第１のサブフレームと前記第２のサブフレームとが、前記支持フレームの内壁と、前面と、外壁とを構成し、各フィルタポケットが、縁部を有して対向する側部により規定された空気入口開口部を一方の端部に有する、ガスフィルタ組立体に関する。２つの隣接するフィルタポケットの縁部の間に架け渡され、縁部のほぼ全長に沿って延出する少なくとも１つの結合手段によって、フィルタポケットは互いに密封して固定される。少なくとも１つの結合手段は、２つの対向する端部を有し、各端部は、前記第１のサブフレームと前記第２のサブフレームとの間に配置される。
【０００７】
結合手段（２１６）の各端部（２１９）は、第１のサブフレームの内壁にある切り込み部分を通過し、第２のサブフレームに配置されたスロットに配置される。
【０００８】
本発明の支持フレームは正方形又は長方形であり、更に高い安定性を実現するために、第１のサブフレームと第２のサブフレームとは、それぞれ一体の部材として構成される。
【０００９】
結合手段の端部がスロットに挿入された場合に各端部を挟持の把持力で固定するために、第２のサブフレームのスロットはＶ字形とすることができる。
【００１０】
結合手段は細長い挟持片とすることがで、空気の流れに対向する側の結合手段の上面は、結合手段をより軽量で薄い材料から製造でき、その一方で強い気流の中でも屈曲又はつぶれが生じないように丸い形状を有することができる。丸い形状のもう１つの利点は、この特定の丸形構造によって空気入口で発生する圧力降下が減少することである。
【００１１】
フィルタポケットを結合手段に更に堅固に固定するために、結合手段は、スポット溶接又は接着によりフィルタポケットに結合することができる。
【００１２】
結合手段により密封して固定されたフィルタポケットは、周囲上縁部を有し、この周囲上縁部は、フック手段によって第２のサブフレームに固定することができる。フック手段は、鋸歯状縁部、スパイク列などである。
【００１３】
第１のサブフレームにあり、周囲上縁部を第２のサブフレームに配置された溝の中に押し込む仕切りによって、周囲上縁部は支持フレームに更に固定することができる。
【００１４】
支持フレームの２つの周囲側部は、切り込み部分と、スロットとを備えることができる。
【００１５】
支持フレームの４つの周囲側部は、切り込み部分と、スロットとを備えることができる。
【００１６】
支持フレームの横方向に延出する内壁に配置されるスロット及び切り込み部分の数は、長手方向に延出する内壁に配置されるスロット及び切り込み部分の数とは異なる。この特徴により、それぞれ異なる数のフィルタポケットを有するポケットフィルタ組立体を保持するように支持フレームを構成できるので、支持フレームの融通性は向上する。
【図面の簡単な説明】
【００１７】
【図１】図１は、差し込まれた状態の係止要素が詳細に示された本発明に係るガスフィルタ組立体を示す概略図である。
【図２】図２は、ガスフィルタ組立体の第１のサブフレームと、第２のサブフレームと、ポケットフィルタ組立体とを示す概略展開図である。
【図３】図３は、ポケットフィルタ組立体を示す概略部分図である。
【図４】図４は、第２のサブフレームの傾斜した上面に形成されたスロットに配置された結合手段を示す概略横断面図である。
【図５】図５は、係止要素によって互いに固定された場合の第１のサブフレームと第２のサブフレームとを示す概略横断面図である。
【図６】図６は、第２のサブフレームへの第１のサブフレームの嵌合を示す概略斜視図である。
【発明を実施するための形態】
【００１８】
以下に、添付の図面に示される例示的な実施形態を参照して、本発明のガスフィルタ組立体を限定的ではなく、更に詳細に説明する。図中符号の最初の数字は、その要素が示されている図に対応する。図中符合の続く２つの数字は、特定の要素を示す。
【００１９】
図１は、本発明に係るガスフィルタ組立体１００を示す。組立体１００は、正方形又は長方形の構造を有する支持フレーム１０１と、支持フレーム１０１に装着された複数のフィルタポケット１０２とを備える。本発明のガスフィルタ組立体は、空気の流れから固体粒子や気体状汚染物質などの汚染物質を除去するために一般に使用される換気装置に挿入されるカートリッジカセットとして構成される。
【００２０】
本発明の支持フレーム１０１は、第１のサブフレーム２０３と、対応する第２のサブフレーム２０４とから構成される（図２を参照）。少なくとも１つの係止要素１０５、１０６によって互いに結合された場合、第１のサブフレーム２０３と第２のサブフレーム２０４とは、４つの周囲側部１０７、１０８を形成する。そのうち２つの側部は、互いに対向して配置された長手方向に延出する側部１０７であり、残りの２つの側部は、互いに対向する横方向に延出する側部１０８である。支持フレーム１０１が正方形の構造を有する場合、４つの周囲側部の長さは等しい。しかし、支持フレーム１０１が長方形の構造を有する場合、２つの長手方向に延出する側部１０７は、一般に２つの横方向に延出する側部１０８より長い。図を含めて、以下の説明の中では長方形の支持フレームが説明されるが、以下の説明中の２つの横方向に延出する側部と、２つの長手方向に延出する側部ではなく長さの等しい４つの周囲側部を有する支持フレームにもまったく同じ説明が当てはまることを理解すべきである。
【００２１】
一体に結合された場合、第１のサブフレーム２０３は、支持フレームの内壁１１０と、第１の面１０９（すなわち、空気の流れに対向する面）と、外壁１１１の一部とを構成する。第２のサブフレーム２０４は、支持フレーム１０１の背面（すなわち、空気の流れの下流側に当たる面）と、外壁１１２の主要な部分とを形成する。各サブフレーム２０３、２０４は、射出成形技術を使用して製造されるのが好ましく、当該技術分野で周知の破壊可能且つ／又は再利用可能な材料から一体に形成される。これにより、従来は多くの場合に採用されていた角部結合部材を使用して側部を組み立てるという方法で形成されていたフレームとは異なり、一体の部材としてサブフレームを製造できるという利点が得られる。サブフレームを一体に形成すると、安定性が向上する。
【００２２】
第１のサブフレーム２０３及び第２のサブフレーム２０４は、係止要素１０５、１０６によって結合された場合に互いに協働して嵌合するような内側横断面輪郭形状をそれぞれ示す（図１の差し込まれた状態を参照）。サブフレーム２０３、２０４の内側輪郭の形状及び機能については、以下に更に詳細に説明する。
【００２３】
ガスフィルタ組立体は、特に空気や他の気体を濾過することを目的とする。各フィルタポケット１０２は、自体周知のフィルタ媒体（例えば、ガラス繊維又は合成繊維）から形成され、当該技術分野における従来通りの方法で製造される。好適な製造方法の１つは、正方形又は長方形の形状を有する２つの同一のフィルタ媒体片を重ね合わせ、フィルタポケット１０２の空気入口開口部１１３を形成するために１つの辺を開いたまま残すように、フィルタ媒体片を３辺に沿って好ましくは縫合、溶接又は接着により一体に接合する方法である。あるいは、１つの長方形のフィルタ媒体片を長方形の長いほうの辺の中央で半分に折り、折り目に隣接する２つの片を縫合、溶接又は接着して、折り目とは半体側の辺を開いたまま残すことにより空気入口開口部１１３を形成する。空気入口開口部１１３は、フィルタ媒体片の第１の上縁部１１４と、第２の上縁部１１５とによりそれぞれ規定される。
【００２４】
２つ以上のフィルタポケット３０２'、３０２"は、結合手段３１６によって互いに密封して固定される（図３を参照）。結合手段は、支持フレーム１０１の長手方向に延出する側部１０７の間で個別に互いにほぼ平行に延出する細長い挟持片の形状であるのが好ましい。各結合手段３１６は、例えばポリプロピレンとポリエチレンより成る群に含まれるプラスチック材料などのポリマー材料の押し出し成形又は射出成形により製造されるのが好ましい。結合手段３１６は、以下に説明する条件を満たすいずれかの横断面形状を有する。しかし、図４に示される一般的な横断面形状は多くの利点を示す。結合手段３１６は、いくつかの目的で使用されるが、第１の目的は、塵芥の侵入を防止するようにフィルタポケット３０２'、３０２"を互いに固定することである。すなわち、空気に塵芥や粒子が含まれているか否かにかかわらず、空気は、フィルタ媒体は通り抜けるが、フィルタポケットの間を通り抜けることはできない。もう１つの目的は、フィルタポケットを支持し、強い気流の中でフィルタポケットのつぶれを防止することである。結合手段４１６の上部、すなわち空気の流れに対向する上側部分（図４において、空気の流れは矢印で示される）は、丸形の形状を有するのが好ましい。このような形状を有することにより、結合手段４１６は、薄型軽量の材料から製造されているにもかかわらず、通過する強い気流の中でも屈曲又は破裂を起こさない。丸形の更なる利点は、この特定の丸形構成によって空気入口開口部３１３で発生する圧力降下が減少することである。
【００２５】
各結合手段３１６は、第１のフィルタポケット３０２'の第１の上縁部３１４'と、隣接する第２のフィルタポケット３０２"の第２の上縁部３１５"との間に架け渡されることにより２つの隣接するフィルタポケット３０２'、３０２”を結合し、２つのフィルタポケットの間に防塵シールを形成する。図４からわかるように、片の２つの側部が２つの隣接するフィルタポケット側部の上縁部４１４'、４１５"を一体に挟持するように、結合手段４１６の下部は徐々に細くなっている。しかし、例えば、スポット溶接又は接着３１７により結合手段３１６がフィルタポケットに固定されるのが好ましい場合、下部はまっすぐである。ポケットフィルタ組立体３１８を形成するために、以上説明したように、結合手段３１６を使用して所望の任意の数のフィルタポケット３０２を一体に結合できる。
【００２６】
結合手段３１６は、２つの対向する端部３１９を有し、折りたたまれた状態（図示せず）にある場合、すなわちポケットフィルタ組立体が支持フレームに装着されていない場合、フィルタポケット３０２'、３０２"の上縁部３１４ｘ'、３１５ｘ"は、結合手段３１６の２つの端部３１９を越えるまで延出している。すなわち、結合手段３１６はフィルタポケット３０２の上縁部３１４、３１５の長さより短い。その理由については以下に説明する。
【００２７】
第２のサブフレーム５０４の内側横断面輪郭形状（すなわち、第１のサブフレーム５０３の内側に対向する側、図５を参照）は、支持フレーム５０１の前側５０９の外側縁部から下部内壁５１０に向かって対角線方向に傾斜する傾斜上面５２０を有する。対角線方向に傾斜する上面５２０が内壁５１０に到達する場所では、上面５２０は、第１のサブフレーム５０３の内壁と平行であり、それにより、内壁５１０と共に重複領域５２２を形成する垂直壁５２１を形成するように傾斜する。２つの長手方向に延出する側部２０７の傾斜上面２２０は、完全に伸張された状態のフィルタポケット２０２の幅に等しい間隔で互いに離間して形成された複数のスロット２２３を備える。この間隔は、ポケットフィルタ組立体２１８の２つの隣接する結合手段２１６の離間距離とも等しい。スロット２２３の数は、ポケットフィルタ組立体２１８に配置される結合手段２１６の数と等しい。支持フレーム１０１に装着された場合、ポケットフィルタ組立体２１８の結合手段２１６の各端部２１９は、第１のサブフレーム２０３の長手方向に延出する側部２０７の２つの対向する内壁２１０に形成された切り込み部分２２４を通過して、第２のサブフレーム２０４の内側横断面輪郭にあるスロット２２３に配置される。前部サブフレームの内壁２１０にある切り込み部分２２４は、第２のサブフレーム２０４のスロット２２３と位置合わせされ、その数は、ポケットフィルタ組立体２１８の結合手段２１６の数と等しい。
【００２８】
先に指摘した通り、折りたたまれた状態にある場合、結合手段３１６の全長は、フィルタポケット３０２の上縁部３１４、３１５の長さより短く、フィルタ媒体の上縁部３１４ｘ、３１５ｘは、結合手段３１６の各端部３１９を越えて延出する。しかし、装着された状態になると、図３に示されるように、左側のフィルタポケット３０２'に属するフィルタポケット材料の上縁部３１４ｘ'は、結合手段３１６の各端部３１９で左側に向かって折りたたまれ、右側のフィルタポケット３０２"に属するフィルタポケット材料の上縁部３１５ｘ"は、右側に向かって折りたたまれる。一般に、スロット４２３の形状は正方形又はＵ字形であり、スロット４２３は、２つの隣接するフィルタポケット４０２'、４０２"のフィルタポケット上縁部３１４ｘ'、３１５ｘ"に属するフィルタ材料を含めて、結合手段４１６の横断面に嵌合するような幅及び深さを有する（図４を参照）。本発明の好適な一実施形態において、片が第２のサブフレームのスロット２２３に挿入された場合に結合手段２１６の各端部２１９を挟持状態で確実に把持するように、スロット２２３はＶ字形である。
【００２９】
ポケットフィルタ組立体２１８の各結合手段２１６の端部２１９が第２のサブフレーム２０４のスロット２２３に差し込まれると、２つの結合手段２１６の間で各フィルタポケット２０２が引っ張られて開くので、ほぼ長方形の空気入口開口部２１３が形成される。空気入口開口部３１３の境界は、支持フレームの横方向では、２つの平行な結合手段３１６により規定され、長手方向では（すなわち、フィルタポケットの短いほうの端部）、結合手段３１６の端部３１９を越えて延出している２つのフィルタ媒体片の上縁部３１４ｘ"、３１５ｘ”により規定される。フィルタ組立体２１８の両側の最も外側のフィルタポケットは、隣接する１つのフィルタポケットに結合されるだけであるので、フィルタポケット２０２'、２０２"の最も外側の上縁部２１４'、２１５"は、装着されていない状態で、第２のサブフレーム２０４の横方向へ延出する側部２０８に面したままである。
【００３０】
両端のフィルタポケット２０２'、２０２"の最も外側の上縁部２１４'、２１５"を固定するために、横方向へ延出している第２のサブフレームの側部２０８にある対角線方向に傾斜した側部２２０には、複数のフック要素２２５が設けられる。それらのフック要素２２５には、フィルタ媒体の上縁部２１４'、２１５"が引っ掛けられるか又は締め付け固定される。そのようなフック要素又はフック手段は、鋸歯状縁部であることも可能である。背面フレームの長手方向に延出する側部２０７の対角線方向に傾斜した上面４２０にあるスロット４２３の間の領域にも、フック要素４２５が設けられるのが好ましい。フック要素４２５には、フィルタポケット４０２'、４０２"の短い側の上縁部４１４ｘ'、４１５ｘ"が固定される（図４を参照）。第２のサブフレーム２０４の長手方向に延出する側部２０７と、横方向に延出する側部２０８の双方の対角線方向に傾斜した上面２２０にこのようなフック要素２２５が設けられることによって、ポケットフィルタ組立体２１８の周囲上縁部２２６のすべて（すなわち、最も外側のフィルタポケットの上縁部２１４'、２１５"と、すべてのフィルタポケットの短いほうの端部２１４ｘ、２１５ｘ）が第２のサブフレームの対角線方向に傾斜した上面２２０に固定される。
【００３１】
図５からわかるように、第１のサブフレーム５０３の内側輪郭形状は、ほぼＵ字形である。Ｕの第１の脚部は、支持フレーム５０１の内壁５１０を形成し、第１の脚部より短い第２の脚部は、外壁５１１の上部を形成する。しかし、ポケットフィルタ組立体２１８のフィルタ媒体の周囲上縁部５２６を更に固定するために、第１のサブフレーム５０３の内側輪郭には、前面５０９の内側から第２のサブフレーム５０３の対角線方向に傾斜した上面５２０に向かって第１のサブフレーム５０３の内壁５１０全体と平行に下向きに延出する仕切り５２７が設けられる。仕切り５２７の下縁部５２８は、第２のサブフレーム５０３の対角線に沿って傾斜した上面５２０のフック要素５２５の背後に形成された溝５２９の中へ延出する。上下のサブフレーム５０３、５０４が一体に組み立てられた場合、仕切り５２７の下縁部５２８は、フック要素５２５に引っ掛けられているフィルタ媒体の周囲上縁部５２６全体を下方の溝５２９の中に押し込み、それにより、塵芥の侵入を防止するようにポケットフィルタ組立体を支持フレームに固定する。
【００３２】
フィルタポケット組立体の周囲縁部５２６全体がフック要素６２５に固定された状態の第２のサブフレーム６０４に第１のサブフレーム６０３を嵌合することにより、ポケットフィルタ組立体は、支持フレームに更に固定される（図６を参照）。第１のサブフレーム６０３の対角線方向に延出する側部６０７にある切り込み部分６２４は、ポケットフィルタ組立体の結合手段６１６に嵌合するように位置合わせされ、支持フレーム１０１の外壁１１１に設けられた係止要素１０５と、内壁１１０に設けられた係止要素１０６とによって、第１のサブフレーム６０３は第２のサブフレーム６０４に固定される。更に、図５からわかるように、フィルタ媒体の周囲上縁部５２６全体は、仕切り５２７がフィルタ媒体を溝５２９の中まで押し下げることによって、支持フレームに固定される。この構成により、フィルタポケットの上縁部５２６全体と結合手段２１６の端部２１９とは、支持フレーム１０１に堅固に固定され、容易に外れたりゆるんだりしない。従って、係止要素１０５、１０６の主な機能は、単に前部サブフレーム２０３と後部サブフレーム２０４とを一体に結合することだけである。従って、係止要素が２つのサブフレーム２０３、２０４を互いに固定するという要件を満たしている限り、本発明において係止要素の構造は重要ではないことが当業者には明らかだろう。しかし、好適な構造はここで説明した通りである。
【００３３】
前述のように、第１のサブフレーム５０３は、支持フレーム５０１の外壁５１１の一部と、前面５０９と、内壁５１０とを被覆する。このことは図５から明らかであり、第１のサブフレーム５０３は、内壁５１０から前面５０９に沿って延出し、第２のサブフレーム５０４の外壁５１１の一部と重なり合う。この重複領域５３０の境界は、第１のサブフレーム５１１の縁部５３２が載置されている第２のサブフレーム５０４の外壁５１２に形成された棚状部分５３１により規定される。複数の外壁係止要素１０６は、外壁１１１の周囲全体に沿って重複領域５３０に分散配置される。各外壁係止要素１０６は、第２のサブフレーム５０４の外壁との重複領域５３０に設けられた外壁係止突起部５３３と、第１のサブフレームの外壁との重複領域に配置された外壁協働係止穴５３４とを備える。
【００３４】
複数の内壁係止要素１０５は、内壁の周囲全体に沿って分散配置される。各内壁係止要素１０５は、縦壁５２１の重複領域５２２に設けられた内壁係止突起部５３５と、第１のサブフレームの内壁との重複領域５２２にある協働係止穴５３６とを備える。
【００３５】
以上説明した好適な係止要素１０５、１０６の機能と構造は類似しているが、それらの係止要素は、支持フレーム１０１の異なる壁に配置される。係止要素１０５、１０６の協働係止穴５３４、５３６は、共に、第１のサブフレームの内壁５１０と外壁５１２とをそれぞれ貫通する穴であり、平坦な下方当接棚状部分５３７、５３８を有する。前部サブフレーム２０３及び第２のサブフレーム２０４が一体に係止された場合、係止突起部５３３、５３５の平坦な当接面５３９、５４０は、この平坦な下方当接棚状部分５３７、５３８とそれぞれ協働するように構成される。
【００３６】
本発明の一実施形態において、支持フレームの４つの内壁１１０のすべては、結合手段２１６の端部２１９を受け入れるように構成される。４つの内壁はすべての壁に同数のスロット／切り込み部分を有する。しかし、別の実施形態において、横方向に延出する内壁に配置されたスロット／切り込み部分の数は、長手方向に延出する内壁に配置されたスロット／切り込み部分の数とは異なる（図示せず）。この構成により、支持フレーム１０１は、それぞれ異なる数のフィルタポケットを有する種々のポケットフィルタ組立体を保持するように構成できるので、支持フレーム１０１の融通性は向上する。例えば、長手方向に延出するポケットフィルタ開口部が支持フレームの長手方向に延出する側部１０７の間に開いている場合、支持フレームは、８つのフィルタポケットを備えたポケットフィルタ組立体を保持する。これに対し、ポケットフィルタ開口部が支持フレームの横方向に延出する側部１０８の間に長手方向に開いている場合、支持フレームは６つのフィルタポケットを備えたポケットフィルタ組立体を保持する。ガスフィルタ組立体の技術分野における種々の規格に従って、フィルタポケットの数、並びに支持フレームの横方向に延出する内壁１１０と長手方向に延出する内壁１１０に配置されるスロット／切り込み部分の数が変更されてもよく、正方形の構成を有する支持フレームにもまったく同じことが当てはまることは当業者には理解されるだろう。
【００３７】
当業者には明らかであるが、図２に示されるように、本発明に係るガスフィルタ組立体は、単純な方法で非常に迅速に組み立てられる。結合手段２１６は、第１のフィルタポケット３０２'と隣接する第２のフィルタポケット３０２"との間に密なシールを形成するように、第１のフィルタポケット３０２'の第１の上縁部３１４'と第２のフィルタポケット３０２”の第２の上縁部３１５”との間に架け渡されることにより、２つの隣接するフィルタポケット３０２'、３０２"を結合するという利点を有する。結合手段２１６は、スポット溶接又は接着３１７によりフィルタポケットに更に固定されるのが好ましい。ポケットフィルタ組立体２１８を形成するために、所望の任意の数のフィルタポケットを組み立て可能である。
【００３８】
その後、結合手段２１６の各端部２１９を第２のサブフレーム２０４のスロット２２３に嵌合させることにより、ポケットフィルタ組立体２１８は、第２のサブフレーム２０４に装着される。次に、ポケットフィルタ組立体２１８の周囲上縁部２２６全体（すなわち、最も外側のフィルタポケットの上縁部２１４'及び２１５"、並びにすべてのフィルタポケットの短い端部２１４ｘ及び２１５ｘ）が、第２のサブフレーム２０４の対角線方向に傾斜した上面２２０に配置されたフック要素２２５に引っ掛けられる。
【００３９】
最後に、第１のサブフレームの内壁２１０にある切り込み部分２２４を第２のサブフレーム２０４のスロット２２３と、ポケットフィルタ組立体２１８に配置されている挟持片２１６と位置合わせすることにより、第１のサブフレーム２０３は、第２のサブフレーム２０４とポケットフィルタ組立体２１８とに装着される。内壁係止要素２０５と外壁係止要素２０６とを閉じることにより、仕切り５２７の下方棚状部分５２８は、すべてのフィルタポケットの周囲上縁部２２６を第２のサブフレーム２０４の対角線方向に傾斜した上面２２０にあるフック要素２２５の背後に形成された溝５２９の中へ押し込み、その結果、ポケットフィルタ組立体２１８は、塵芥の侵入を防止するように支持フレームに固定される。
【００４０】
以上の説明から、本発明のガスフィルタ組立体は、製造、組み立て、装着がいずれも容易であると結論付けることができる。更に、結合手段とフィルタポケットの周囲上縁部全体が第１のサブフレームと第２のサブフレームとの間に堅固に固定される構成であるため、強い気流を受けても容易には外れない安定した防塵密封ポケットフィルタ組立体が提供される。
【図１】
2013525100.tif 000003
【図２】
2013525100.tif 000004
【図３】
2013525100.tif 000005
【図４】
2013525100.tif 000006
【図５】
2013525100.tif 000007
【図６】
2013525100.tif 000008
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
支持フレーム（１０１）と、複数のフィルタポケット（１０２）とを備えるガスフィルタ組立体（１００）であって、
前記支持フレーム（１００）が、
少なくとも１つの係止要素（１０５、１０６）によって互いに結合され、それぞれ一体の部材として構成される第１のサブフレーム（２０３）と第２のサブフレーム（２０４）とを備え、
互いに結合されることで前記第１のサブフレーム（２０３）と前記第２のサブフレーム（２０４）とが、前記支持フレームの内壁（１１０）と、前面（１０９）と、外壁（１１１）とを構成し、
各フィルタポケットが、縁部を有して対向する側部（１１４、１１５）により規定された空気入口開口部（１１３）を一方の端部に有し、
２つの隣接するフィルタポケット（２０２）の縁部（２１４、２１５）の間に架け渡されて前記縁部（２１４、２１５）のほぼ全長に沿って延出する少なくとも１つの結合手段（２１６）によって、前記フィルタポケット（１０２）は互いに密封して固定され、
前記少なくとも１つの結合手段（２１６）は、２つの対向する端部（２１９）を有し、
各端部（２１９）は、前記第１のサブフレーム（２０３）の前記内壁（２１０）に形成された切り込み部分（２２４）を通過して前記第１のサブフレーム（２０３）と前記第２のサブフレーム（２０４）との間に配置され、かつ、前記第２のサブフレーム（２０４）に配置されたＶ字形スロット（２２３）に配置されることを特徴とするガスフィルタ組立体（１００）。
【請求項２】
前記支持フレーム（１０１）は正方形又は長方形であることを特徴とする請求項１記載のガスフィルタ組立体（１００）。
【請求項３】
前記結合手段（３１６）は細長い挟持片（３１６）であることを特徴とする請求項１又は２に記載のガスフィルタ組立体（１００）。
【請求項４】
空気の流れに対向する前記結合手段（３１６）の上面は丸形であることを特徴とする請求項１から３のいずれか１項に記載のガスフィルタ組立体（１００）。
【請求項５】
前記結合手段（３１６）は、スポット溶接又は接着（３１７）によって前記フィルタポケットに結合されることを特徴とする請求項１から４のいずれか１項に記載のガスフィルタ組立体（１００）。
【請求項６】
前記結合手段（２１６）により密封して固定された前記フィルタポケット（２０２）は周囲上縁部（５２６）を有し、
前記周囲上縁部（５２６）は、フック手段（２２５）によって前記第２のサブフレーム（２０４）に固定されることを特徴とする請求項１から５のいずれか１項に記載のガスフィルタ組立体（１００）。
【請求項７】
前記周囲上縁部（５２６）は、前記第２のサブフレーム（５０４）に配置された溝（５２９）の中に前記周囲上縁部（５２６）を押し込む前記第１のサブフレーム（２０３）の仕切り（５２７）によって前記支持フレーム（１０１）に固定されることを特徴とする請求項６記載のガスフィルタ組立体（１００）。
【請求項８】
前記支持フレーム（１０１）の前記内壁（１１０）のうち２つの内壁は、切り込み部分（２２４）と、スロット（２２３）とを備えることを特徴とする請求項１から７のいずれか１項に記載のガスフィルタ組立体（１００）。
【請求項９】
前記支持フレーム（１０１）の前記内壁（１１０）のうち４つの内壁は、切り込み部分（２２４）とスロット（２２３）とを備えることを特徴とする請求項１から７のいずれか１項に記載のガスフィルタ組立体（１００）。
【請求項１０】
前記支持フレーム（１０１）の横方向に延出する内壁（１１０）に配置されたスロット（２２３）及び切り込み部分（２２４）の数は、長手方向に延出する内壁（１１０）に配置されたスロット（２２３）及び切り込み部分（２２４）の数とは異なることを特徴とする請求項１から７のいずれか１項に記載のガスフィルタ組立体（１００）。
【国際調査報告】
2013525100.tif 000009
2013525100.tif 000010
2013525100.tif 000011